(57)【要約】      （修正有）【課題】磁性物を設置することでその磁力線で構成された磁場によって、金属剛毛が磁化して磁性を帯びることができるように提供する。【解決手段】ヘアブラシ構造に関るもので、ブラシ部の横方向からハンドル部が延伸する本体と、ブラシ部頂面に装着し且つ表面から若干の互いに間隙のある金属剛毛が垂直に延伸するブラシパッド及び該ブラシパッドの底面、或いは、下方に装着する少なくとも１つの磁性物を含むことを特徴とする。【選択図】図１
0003121467.tif 000002
【実用新案登録請求の範囲】
【請求項１】
ヘアブラシ構造において
ブラシ部の横方向からハンドル部が延伸する本体と、
ブラシ部頂面に装着し且つ表面から若干の互いに間隙のある金属剛毛が垂直に延伸するブラシパッド、及び、
該ブラシパッドの底面、或いは、下方に装着する少なくとも１つの磁性物を含み、
該磁性物を設置することでその磁力線で構成された磁場によって、金属剛毛が磁化して磁性を帯びることができることを特徴とする、ヘアブラシ構造。
【請求項２】
請求項１記載のヘアブラシ構造において、該剛毛頂部が球型の毛先であることを特徴とする、ヘアブラシ構造。
【請求項３】
請求項１記載のヘアブラシ構造において、該本体が上部カバー、及び下部カバーを結合することから成り、また両側にそれぞれブラシ部、及びハンドル部を形成することを特徴とする、ヘアブラシ構造。
【請求項４】
請求項１記載のヘアブラシ構造において、ハンドル部の開口側をグランドで封止し、且つ両者間にＯリングを設けることを特徴とする、ヘアブラシ構造。
【請求項５】
請求項１記載のヘアブラシ構造において、更に一歩進んで振動装置を含み、
開閉をハンドル部に凸設して、その内部に電池、及び関連回路を収容設置した電源供給部と、
ブラシ内部に偏心出力軸を具えた振動モータを収容設置した振動部を含み、
開閉制御を介することで、電源のオンオフ制御によって、該振動モータを振動させることを特徴とする、ヘアブラシ構造。
【請求項６】
請求項１記載のヘアブラシ構造において、該ブラシパッドが固定リングとブラシ部の上部カバー間で係止及び位置決め固定することを特徴する、ヘアブラシ構造。
【請求項７】
請求項１記載のヘアブラシ構造において、該固定リングの底面にブラシパッドを通過するラッチを凸設し、並びにブラシ部周縁に開設した若干の嵌挿穴に嵌挿することを特徴とする、ヘアブラシ構造。
【考案の詳細な説明】
【技術分野】
【０００１】
本考案はヘアブラシ構造に関り、特に、ヘアブラシ構造内部に少なくとも１つの磁性物を設置することで、ヘアブラシ本体の静電気を除去させ、並びに磁場を形成することで、毛先の末端を通じて頭部に軽微な刺激を与えるもの。更に、本考案のヘアブラシに振動装置を組み合わせることで、振動力が得られ、並びに毛先の末端を通じて頭部のマッサージ効果を与えることができることを特徴とする。
【背景技術】
【０００２】
ヘアブラシは、一般的な日常生活用具であり、且つ長い歴史を有し、若干配列され整った細長い毛の間隙によって髪を梳かすことにあり、並びに頭髪を整える工具でもあり、確実に我々の礼儀のための非常に便利なものである。
【０００３】
近年、材料科学及び生産技術の進歩により、ヘアブラシも大きく変化し、木質或いは獣骨というような一般的な天然材から高分子プラスチック材料などといった工業材料に変化してきた。同時に、髪を整える方法も手動から電動となることで、髪を梳かす効果が向上した。また認可された関連特許としても数多く見られ、例えば特許文献１では、振動装置及びマッサージ効果を兼ね備えたヘアブラシとして開示されている。更にドライヤーとヘアブラシが一体となったもの、或いは髪染め用のヘアブラシなど枚挙に暇が無く、同時にヘアブラシの機能も極まっている。
【０００４】
近年、医学界と学界の研究を経ることで、例えば磁石のような磁性物で形成された磁場によってある種の疾病を和らげ、これは磁場を人体に作用させた後、体内で一連の生物学的効果を生じることができることで、磁場がある種の症状を軽減させる基礎となっている。磁場と人体には密接な関係があり、これにより磁場で『物理療法』を行うことで、磁極の相互吸引原理によって軽微な刺激を特に神経繊維が最も多い頭部に与えると、人体に微弱な生体電流が流れるため、人体の健康に有益になると共に免疫力を増加させることができ、磁気エネルギーを例えばヘアブラシのような日常における生活用具に運用することで、身体が磁性物によって発生した磁場作用をヘルスケア効果として受けることができる。
【特許文献１】台湾公告第２３５４７２号の「振動ヘアブラシの装置」
【考案の開示】
【考案が解決しようとする課題】
【０００５】
これに鑑み、本考案の出願人は長年に渡りヘルスケア製品の設計と生産販売に従事した経験をもって、例えば静電気の除去、及び磁場効果の形成、並びに人体に軽微な刺激効果を与えるヘアブラシの付加機能を加えるため、再三再四の実験とテストを経ることで、本考案の「ヘアブラシ構造」の開発に到った。
【０００６】
本考案の主要な目的は、ヘアブラシ構造を提供し、ブラシ部の横方向からハンドル部が延伸する本体とブラシ部頂面に装着し且つ表面から若干の互いに間隙のある金属剛毛が垂直に延伸するブラシパッド及び該ブラシパッドの底面或いは下方に装着する少なくとも１つの磁性物を含み、該磁性物を設置することでその磁力線で構成された磁場によって、金属剛毛が磁化して磁性を帯びることができることにある。
【０００７】
本考案のもう一つの目的は、ヘアブラシ構造を提供し、更に一歩進んで振動装置を含み、それには開閉をハンドル部に凸設して、その内部に電池及び関連回路を収容設置した電源供給部とブラシ内部に偏心出力軸を具えた振動モータを収容設置した振動部を含み、開閉制御を介することで、電源のオンオフ制御によって、該振動モータを振動させることにある。
【０００８】
本考案のもう一つの目的は、ヘアブラシ構造を提供し、該本体が上部カバー及び下部カバーを結合することから成り、また両側にそれぞれブラシ部、及びハンドル部を形成し、更にハンドル部の開口側をグランドで封止し、且つ両者間にＯリングを設け、その他該剛毛頂部が球型の毛先であることにある。
【０００９】
本考案のもう一つの目的は、ヘアブラシ構造を提供し、該ブラシパッドが固定リングとブラシ部の上部カバー間で係止及び位置決め固定し、且つ該固定リングの底面にブラシパッドを通過するラッチを凸設し、並びにブラシ部周縁に開設した若干の嵌挿穴に嵌挿することにある。
【課題を解決するための手段】
【００１０】
請求項１の考案は、ヘアブラシ構造において
ブラシ部の横方向からハンドル部が延伸する本体と、
ブラシ部頂面に装着し且つ表面から若干の互いに間隙のある金属剛毛が垂直に延伸するブラシパッド、及び、
該ブラシパッドの底面、或いは、下方に装着する少なくとも１つの磁性物を含み、
該磁性物を設置することでその磁力線で構成された磁場によって、金属剛毛が磁化して磁性を帯びることができることを特徴とする、ヘアブラシ構造としている。
請求項２の考案は、該剛毛頂部が球型の毛先であることを特徴とする、ヘアブラシ構造としている。
請求項３の考案は、該本体が上部カバー、及び下部カバーを結合することから成り、また両側にそれぞれブラシ部、及びハンドル部を形成することを特徴とする、ヘアブラシ構造としている。
請求項４の考案は、ハンドル部の開口側をグランドで封止し、且つ両者間にＯリングを設けることを特徴とする、ヘアブラシ構造としている。
請求項５の考案は、更に一歩進んで振動装置を含み、
開閉をハンドル部に凸設して、その内部に電池、及び関連回路を収容設置した電源供給部と、
ブラシ内部に偏心出力軸を具えた振動モータを収容設置した振動部を含み、開閉制御を介することで、電源のオンオフ制御によって、該振動モータを振動させることを特徴とする、ヘアブラシ構造としている。
請求項６の考案は、該ブラシパッドが固定リングとブラシ部の上部カバー間で係止及び位置決め固定することを特徴する、ヘアブラシ構造としている。
請求項７の考案は、該固定リングの底面にブラシパッドを通過するラッチを凸設し、並びにブラシ部周縁に開設した若干の嵌挿穴に嵌挿することを特徴とする、ヘアブラシ構造としている。
【考案の効果】
【００１１】
これにより、本考案の実施を通じて、これらブラシパッド底面に磁性物を設置することで、磁力線で構成される磁場により、金属剛毛を磁化させて磁性を帯び、こられ剛毛が静電気を除去できる以外に、磁力が各金属剛毛を介してその末端の毛先にまで伝わり、皮膚と接触した後、磁力を頭皮に導入することで軽微な刺激を与える。この種の磁力伝達方法は、一般的な木質或いはプラスチック剛毛では実現することができない。その他該ヘアブラシのハンドル部及びブラシ内にそれぞれ電源供給部及び振動部からなる振動装置を設置して、開閉制御により、振動及びマッサージ効果を持たせることにより、同類物品にも見当たらない最適な構造となっている。
【実施例】
【００１２】
図１から２を見ると、基本的に本考案のヘアブラシ構造は、本体１、ブラシパッド２、及び少なくとも１つの磁性物３の組合せからなる。
【００１３】
本体１は、ブラシ部１１の横方向から使用者が握持するために延伸するハンドル部１２で組成され、該ブラシ部１１の頂面には例えばプラスチックなどの高分子材料で製造されたブラシパッド２を装着し、その表面から若干の互いに間隙のある金属剛毛２１が垂直に延伸し、これら剛毛２１は髪を梳かすために用い、且つ髪を梳かす時に頭皮組織が傷付かないように、その頂部を球型の毛先２２としている。
【００１４】
また本考案の特徴は、図に示すように、少なくとも１つの磁性物３を該ブラシパッド２の底面或いは下方に設置し、本考案では４個の磁性物３を平均的にブラシパッド２の底面に固設しているが、これに限定されることは無いものとする。これら磁性物３は、例えば上部カバー１３頂面のブラシ部１１内にも設置することができる。これにより、各磁性物３によって形成された磁場は、髪を梳かした時、各剛毛２１と頭髪の摩擦によって発生した静電気を、これら磁性物３によって除去できるよう、ブラシパッド２全体に広がり、並びに剛毛２１を介してその末端にある毛先２２にまで伝えることができる。更に、各磁性物３で形成された磁場は、磁極が金属との相互吸引原理より、血管内の微量金属元素に対して刺激作用を起こし、特に神経繊維及び微小血管が最も多い頭部に軽微な刺激を起すことで予想するヘルスケア効果に達することができる。
【００１５】
更に図を見ると、該本体１の実行時、上部カバー１３及び下部カバー１４の結合からなり、前記ブラシ部１１及びハンドル部１２で構成する。該ハンドル部１２開口側をグランド１５で封止し、且つ液体がグランド１５との結合位置からハンドル部１２内に浸入することを避けるため、両者間にＯリング１５１を設置する。
【００１６】
本考案では、更に一歩進んで電源供給部及び振動部からなる振動装置を含み、電源供給部の開閉１２１をハンドル部１２に凸設し、その内部に電池及び後記ブラシ部１１までに連結する関連回路が収容設置される。
【００１７】
その他、振動部がブラシ部１１内部に偏心出力軸を具えた振動モータ１６を収容設置することで、該開閉１２１の制御により、電源のオンオフを制御して、本案件のヘアブラシに振動機能を持たせることで、マッサージ作用をもたらす。
【００１８】
更に該ブラシパッド２は、ブラシ部１１の頂面に安定して装着するため、固定リング１７とブラシ部１１の上部カバー１３の間に係止及び位置決め固定し、該固定リング１７の底面にブラシパッド2を通過する若干のラッチ171を凸設し、並びにブラシ部11周縁に開設した若干の嵌挿穴１３１に嵌挿することで、該ブラシパッド２が固定リング１７とブラシ部１１の間に固定させることができる。
【００１９】
本考案が開示したものは、好ましい実施例の一つであり、各種の局部的な改変或いは修飾について、本考案の技術思想に基づき、当該技術を熟知する者が、容易に推察できるものも本考案の実用新案登録請求の範囲に属するものとする。
【００２０】
前記をまとめると、本考案の目的、手段と効果は、従来の技術特徴と全く相違することを示し、且つ新規創作の実用物であるため、実用新案登録の要件を満たしているので審査委員の皆様の詳細なる審査を受け、一日も早く登録していただくよう切に願います。
【図面の簡単な説明】
【００２１】
【図１】本考案のヘアブラシ構造の立体分解図である。
【図２】本考案のヘアブラシ構造組立後の立体図である。
【符号の説明】
【００２２】
１  本体
１１  ブラシ部
１２  ハンドル部
１２１  開閉
１３  上部カバー
１３１  嵌挿穴
１４  下部カバー
１５  グランド
１５１  Ｏリング
１６  振動モータ
１７  固定リング
１７１  ラッチ
２  ブラシパッド
２１  剛毛
２２  毛先
３  磁性物
【図１】
0003121467.tif 000003
【図２】
0003121467.tif 000004